(57)【要約】      （修正有）【課題】使用時の装着が容易であって、掌に馴染みやすく、衛生上の管理及び耐久性に優れたウェイトトレーニング用クッション材を提供する。【解決手段】バーベル又はダンベルの使用時に、掌に配置した状態でシャフトを握るためのクッション材であって、掌の手首側に配置される底辺部と、上記底辺部の両端から拡開して立ち上がる一対の斜辺部１２と、指側に配置され、上記一対の斜辺部１２の上端部１３の間において外方へ湾曲する円弧状上辺部１４とを備えている。【選択図】図３
0003179636.tif 000002
【実用新案登録請求の範囲】
【請求項１】
バーベル又はダンベルの使用時に、掌に配置した状態でシャフトを握るためのクッション材であって、掌の手首側に配置される底辺部と、上記底辺部の両端から拡開して立ち上がる一対の斜辺部と、指側に配置され、上記一対の斜辺部の上端部の間において外方へ湾曲する円弧状上辺部とを備えたことを特徴とするウェイトトレーニング用クッション材。
【請求項２】
上記底辺部と上記円弧状上辺部の間の方向において全体として湾曲して形成されていることを特徴とする請求項１記載のウェイトトレーニング用クッション材。
【請求項３】
上記底辺部の長さ寸法は６０ｍｍ、上記底辺部から上記円弧状上辺部の頂部までの高さ寸法は９０ｍｍ、上記底辺部から上記斜辺部の上端部までの高さ寸法は６３ｍｍ、上記円弧状上辺部の両端部の間の間隔寸法は９０ｍｍ、厚さ寸法は３ｍｍに形成され、周縁部は外方へ突出する断面円弧状の面取り形成されていることを特徴とする請求項２記載のウェイトトレーニング用クッション材。
【請求項４】
上記底辺部と上記円弧状上辺部の間の方向における曲率はＲ４３．５であると共に、周縁部の断面円弧状の面取りの曲率はＲ１．５であることを特徴とする請求項３記載のウェイトトレーニング用クッション材。
【請求項５】
エチレンプロピレンゴム製であることを特徴とする請求項４記載のウェイトトレーニング用クッション材。
【考案の詳細な説明】
【技術分野】
【０００１】
本考案は、ウェイトトレーニング用クッション材に関する。
【背景技術】
【０００２】
一般に、ウェイトトレーニングをする際には、本革や化学繊維より作られたウェイトトレーニング用のグローブ等を手に装着して、若しくは素手のままでトレーニングをしている。
【０００３】
しかしながら、従来のウェイトトレーニング用のクッション材は、グローブ等であって、手全体を覆う袋状であり、密閉度が高いために通気性が悪く、発汗による蒸れが生じたり、不快な臭いを生じたりする。また、指先部分が露出するように形成されたグローブ等であっても、露出していない部分は、やはり、発汗による蒸れや不快な臭いを生じてしまう。さらに、蒸れを生じた状態でのグローブ等の着脱は、手と密着してしまっているため、即座に着脱することが難しい。また、皮膚の弱い人などは、皮膚がかぶれたり傷めたりする等、皮膚疾患に繋がることもある。また、洗濯に際して、乾燥しにくい素材であったり、袋状であるため、内部が容易に乾き難く、頻繁に洗濯すると素材が傷みやすい等の問題があった。
また、素手でバーベル又はダンベルを使用してウェイトトレーニングをする際に、シャフトに滑り止めとしてローレット加工が施されている場合には、シャフトをしっかり把持するため、ローレット加工の突起構造が掌に食い込む痛みによって力を込めづらかったり、まめができてしまうことなどもあった。
【考案の開示】
【考案が解決しようとする課題】
【０００４】
本考案はこのような従来からの不具合を解決するためのものであって、その課題は、使用時の装着が容易であって、掌に馴染みやすく、衛生上の管理及び耐久性に優れたウェイトトレーニング用クッション材を提供することにある。
【課題を解決するための手段】
【０００５】
上記課題達成のため、請求項１記載の考案にあっては、ウェイトトレーニングの際に、バーベル又はダンベルの使用時に、掌に配置した状態でシャフトを握るためのウェイトトレーニング用クッション材として、掌の手首側に配置される底辺部と、上記底辺部の両端から拡開して立ち上がる一対の斜辺部と、指側に配置され、上記一対の斜辺部の上端部の間において外方へ湾曲する円弧状上辺部とを備えたことを特徴とする。
従って、請求項１の考案にあっては、掌に馴染む形状を備えており、また、掌の手首側にウェイトトレーニング用クッション材を配置するだけで使用できる。
【０００６】
請求項２の考案にあっては、上記底辺部と上記円弧状上辺部の間の方向において全体として湾曲して形成されていることを特徴とする。
従って、請求項２の考案にあっては、ウェイトトレーニング用クッション材が上記底辺部と上記円弧状上辺部の間の方向において全体として湾曲して形成されているため、掌に馴染みやすい。また、バーベル又はダンベルの円筒形状をしたシャフトの曲面に対しても、ウェイトトレーニング用クッション材が湾曲しているため馴染みやすい。
【０００７】
請求項３の考案にあっては、上記底辺部の長さ寸法は６０ｍｍ、上記底辺部から上記円弧上辺部の頂部までの高さ寸法は９０ｍｍ、上記底辺部から上記斜辺部の上端部までの高さ寸法は６３ｍｍ、上記円弧部の両端部の間の間隔寸法は９０ｍｍ、厚さ寸法は３ｍｍに形成され、周縁部は外方へ突出する断面円弧状の面取り形成されていることを特徴とする。
【０００８】
請求項４の考案にあっては、上記底辺部と上記円弧状上辺部の間の方向における曲率はＲ４３．５であると共に、周縁部の断面円弧状の面取りの曲率はＲ１．５であることを特徴とする。
【０００９】
請求項５の考案にあっては、エチレンプロピレンゴム製であることを特徴とする。
【考案の効果】
【００１０】
請求項１の考案にあっては、ウェイトトレーニングの際に、バーベル又はダンベルの使用時に、掌に配置した状態でシャフトを握るためのクッション材として、掌の手首側に配置される底辺部と、上記底辺部の両端から拡開して立ち上がる一対の斜辺部と、指側に配置され、上記一対の斜辺部の上端部の間において外方へ湾曲する円弧状上辺部とを備えたことを特徴とする。その結果、ウェイトトレーニング用クッション材の形状は、掌に馴染みやすく、掌の手首側にウェイトトレーニング用クッション材を配置するだけで使用できるため、バーベル又はダンベルの使用前後の着脱が容易である。
さらに、ウェイトトレーニング用クッション材は袋状のグローブとは異なり袋状ではないため、通気性に優れ、掌のクッション材と密着している部分以外においては、発汗による蒸れが軽減され、また、袋状のグローブ等を装着している際に感じる違和感が少ない。
さらに、ウェイトトレーニング用クッション材は上記形状であるため、汚れた際に洗浄しやすく衛生的となっており、また、発汗による蒸れから皮膚疾患を生じる可能性が低い。
また、今まで素手でウェイトトレーニングしていた人に対し、手を保護し、安全性を高めるという効果を奏する。
【００１１】
請求項２の考案にあっては、上記底辺部と上記円弧状上辺部の間の方向において全体として湾曲して形成されているため、掌に馴染みやすく、また、バーベル又はダンベルの円筒形状をしたシャフトの曲面に対しても馴染みやすい形状となっていることから、掌内において、シャフトに巻きつけて使用しやすい。
【００１２】
請求項３の考案にあっては、上記底辺部の長さ寸法は６０ｍｍ、上記底辺部から上記円弧状上辺部の頂部までの高さ寸法は９０ｍｍ、上記底辺部から上記斜辺部の上端部までの高さ寸法は６３ｍｍ、上記円弧状上辺部の両端部の間の間隔寸法は９０ｍｍ、厚さ寸法は３ｍｍに形成され、周縁部は外方へ突出する断面円弧状の面取り形成されている。その結果、掌の形状に馴染みやすく、ウェイトトレーニング用クッション材使用時の違和感が生じにくい。また、ウェイトトレーニング用クッション材を介して、バーベル又はダンベルのシャフトを確実に握ることができる。
上記クッション材は、一般人の掌の形状および大きさに適合して形成されていることから、ほとんどの使用者が違和感なく、使用することができる。
また、周縁部には断面円弧状の面取りをしてあるため、ウェイトトレーニング用クッション材にはひっかかりがなく、皮膚等を傷つけにくい。
さらには、面取りが施されていることから、掌にウェイトトレーニング用クッション材を介してシャフトを握り込んだ際に、ウェイトトレーニング用クッション材の厚さ方向の縁部が掌の皮膚に食い込まず快適な使用感を提供できる。
【００１３】
請求項４の考案にあっては、上記底辺部と上記円弧状上辺部の間の方向における曲率はＲ４３．５であるために、一般的な人の掌の形状に馴染みやすい形状となっており、クッション材使用時の違和感が生じにくく、また、クッション材を介して、バーベル又はダンベルのシャフトを確実に握ることができる。
【００１４】
請求項５の考案にあっては、クッション材の素材は、耐水性や耐オゾン性、反発弾性、耐磨耗性に優れたエチレンプロピレンゴム製であるため、クッション材は、速乾性を備えており、紫外線による劣化に強く、適度に弾力性を有するため、掌及びバーベル又はダンベルのシャフトに馴染みやすくなおかつグリップしやすく、頻繁に洗浄しても容易には痛まない。また、不快な臭いが染み付くこともない。さらに、ウェイトトレーニング中の掌の保護にも役立つ。
また、上記クッション材は、エチレンプロピレンゴムに染料を加えて様々な色を呈することができる。
【図面の簡単な説明】
【００１５】
【図１】本考案に係るウェイトトレーニング用クッション材の一実施例の形態を示す平面図であって、ウェイトトレーニング用クッション材を使用する際に掌と接する面（ウェイトトレーニング用クッション材表面）の状態を示す図である。
【図２】本考案に係るクッション材の一実施例の形態を示す側面図であって、クッション材を表面から見た場合の右側側面図である。
【図３】本考案に係るウェイトトレーニング用クッション材の一実施例の形態を示す斜視図であって、クッション材を使用する際にダンベルの握り手と接する面（ウェイトトレーニング用クッション材裏面）を上向きに配置した際の斜視図である。
【考案を実施するための最良の形態】
【００１６】
以下、添付図面に示す実施の形態に基づき、本考案を詳細に説明する。
図１、図２、図３に示すように、本実施の形態は、バーベル又はダンベルの使用時に、掌に配置した状態でシャフトを握るためのウェイトトレーニング用クッション材（１０）であって、掌の手首側に配置される底辺部（１１）と、上記底辺部（１１）の両端から拡開して立ち上がる一対の斜辺部（１２、１２）と、指側に配置され、上記一対の斜辺部（１２、１２）の上端部（１３）の間において外方へ湾曲する円弧状上辺部（１４）とを備えているウェイトトレーニング用クッション材（１０）である。また、周縁部（１５）には、断面円弧状の曲率Ｒ１．５の面取り（１６）が施されている。
また、ウェイトトレーニング用クッション（１０）は、上記形状を備えていることから、掌に馴染み易く、面取り（１６）が施されているため、手を傷つけにくく、安全性に優れている。
【００１７】
図２、図３に示すように、上記ウェイトトレーニング用クッション材（１０）は、上記底辺部（１１）と上記円弧状上辺部（１４）の間の方向において全体として湾曲して形成されている。
また、上記ウェイトトレーニング用クッション材（１０）の寸法は、上記底辺部（１１）の長さ寸法（Ｌ）は６０ｍｍ、上記底辺部（１１）から上記円弧状上辺部（１４）の頂部（１７）までの高さ寸法（Ｈ）は９０ｍｍ、上記底辺部（１１）から上記の斜辺部（１２）の上端部（１３）までの高さ寸法（Ｈ１）は６３ｍｍ、上記円弧状上辺部（１４）の両端部（斜辺部の上端部）（１３）の間の間隔寸法（Ｌ１）は９０ｍｍ、厚さ寸法は（Ｄ）３ｍｍに形成され、周縁部（１５）は外方へ突出する断面円弧状の面取り（１５）が形成されている。
また、上記底辺部（１１）と上記円弧状上辺部（１４）の間の方向において全体として曲率Ｒ４３．５の湾曲として形成されている。また、周縁部（１５）には、断面円弧状の曲率Ｒ１．５の面取り（１６）が施されている。
【００１８】
図１、図２、図３に示すウェイトトレーニング用クッション材（１０）は、エチレンプロピレンゴム製である。また、染料を配合することによって、様々な色を有したウェイトトレーニング用クッション材（１０）を提供することができる。
【００１９】
以下、本実施の形態に係るウェイトトレーニング用クッション材の作用について説明する。
ウェイトトレーニング用クッション材（１０）は、掌の手首側に配置される底辺部（１１）と、上記底辺部（１１）の両端から拡開して立ち上がる一対の斜辺部（１２）と、指側に配置され、上記一対の斜辺部（１２）の上端部（１３）の間において外方へ湾曲する円弧状上辺部（１４）と、上記底辺部（１１）と上記円弧状上辺部（１４）の間の方向において全体として湾曲して形成されているため、掌に馴染みやすい形状となっており、また、バーベル又はダンベルのシャフトに対しても巻きつけやすい。
さらに、ウェイトトレーニング用クッション材（１０）の周縁部（１５）には、断面円弧状の面取り（１６）が施されているため、ひっかかりがなく、手を容易には傷つけず、また、使用時の違和感の軽減にも繋がっている。
【産業上の利用可能性】
【００２０】
本考案は、ウェイトトレーニングであるバーベル又はダンベルを使用する際のクッション材に適用可能である。
【符号の説明】
【００２１】
１０ ウェイトトレーニング用クッション材
１１ 底辺部
１２ 斜辺部
１３ 上端部、両端部
１４ 円弧状上辺部
１５ 周縁部
１６ 面取り
１７ 頂部
Ｌ   長さ寸法
Ｌ１ 間隔寸法
Ｈ   高さ寸法
Ｈ１ 高さ寸法
Ｄ   厚さ
【図１】
0003179636.tif 000003
【図２】
0003179636.tif 000004
【図３】
0003179636.tif 000005